(57)【特許請求の範囲】
【請求項１】
使用者の頭部に対応する球形態で形成され、端部内側の一部又は全体にわたって高さ方向に所定の幅を有する帽子粘着部を設けた帽子；
前記帽子の端部内側の周りに接して形成され、高さ方向に所定の幅を有するフレーム粘着部が設けられた支持フレーム；及び
使用者の頭部に隣接して球形態に形状維持ができる強度で形成され前記帽子粘着部又はフレーム粘着部に対して高さ方向の位置を調整し、その調整された位置に結合させることができるように下端部の側面に高さ方向に所定の幅を有する第１補助粘着部が設けられた第１補助装置と、前記第１補助装置と互いに分離可能に構成され、前記帽子の内側に隣接して球形態に形状維持ができる強度で形成され前記帽子粘着部、フレーム粘着部又は第１補助粘着部に対して高さ方向の位置を調整し、その調整された位置で結合させることができるように下端部の側面に第２補助粘着部を設けた第２補助装置からなる補助装置；により構成され、
前記帽子の内側に前記支持フレーム及び補助装置が挿入結合した状態で、前記第１補助装置と第２補助装置との間に形成される第１空間部、前記第２補助装置と帽子との間に形成される第２空間部又は前記第１補助装置と使用者の頭部との間に形成される第３空間部によって使用者の頭形のボリュームアップと小型電子装置が外部に露出されないまま設置できる空間が確保されることを特徴とする、頭形補正又は空間形成のための補助装置を備えた帽子。
【請求項２】
前記支持フレーム、帽子、第１補助装置又は第２補助装置には、小型電子装置を受容できる受容部が更に設けられることを特徴とする、請求項１に記載の頭形補正又は空間形成のための補助装置を備えた帽子。
【請求項３】
使用者の頭部に対応する球形態で形成され、端部内側の一部又は全体にわたって高さ方向に所定の幅を有する帽子粘着部を設けた帽子；及び
使用者の頭部に隣接して球形態に形状維持ができる強度で形成され前記帽子粘着部に対して高さ方向の位置を調整し、その調整された位置に結合させることができるように下端部の側面に高さ方向に所定の幅を有する第１補助粘着部を設けた第１補助装置と、前記第１補助装置と互いに分離可能に構成され、前記帽子の内側に隣接して球形態に形状維持ができる強度で形成され前記帽子粘着部又は第１補助粘着部に対して高さ方向の位置を調整し、その調整された位置で結合させることができるように下端部の側面に第２補助粘着部を設けた第２補助装置からなる補助装置；により構成され，
前記帽子の内側に前記補助装置が挿入結合した状態で、前記第１補助装置と第２補助装置との間に形成される第１空間部、前記第２補助装置と帽子との間に形成される第２空間部又は前記第１補助装置と使用者の頭部との間に形成される第３空間部によって使用者の頭形のボリュームアップと小型電子装置が外部に露出されないまま設置できる空間が確保されることを特徴とする、頭形補正又は空間形成のための補助装置を備えた帽子。
【請求項４】
前記帽子、第１補助装置又は第２補助装置の一部には、小型電子装置が受容できる受容部が更に設けられたことを特徴とする、請求項３に記載の頭形補正又は空間形成のための補助装置を備えた帽子。
【請求項５】
前記補助装置は、第１補助粘着部に結合する第２補助粘着部の位置を上下調節することで、前記第１空間部又は第２空間部の高さが調節できることを特徴とする、請求項１又は３に記載の頭形補正又は空間形成のための補助装置を備えた帽子。
【請求項６】
前記第１補助装置又は第２補助装置は通風のための通気孔が複数形成されることを特徴とする、請求項１、２、３、４のいずれか一つに記載の頭形補正又は空間形成のための補助装置を備えた帽子。
【請求項７】
前記小型電子装置は、スマートフォン又はスマートグラスを含む装置と無線で通信可能なチップ又は回路基板を有する装置、前記スマートフォン又はスマートグラスを通してｅメール又は文字メッセージが受信された場合、使用者に振動で知らせる振動発生装置、又は文字を音声に変換して耳で聞けるようにする骨伝導振動発生装置の全部又は一部を含むことを特徴とする、請求項１、３のいずれか一つに記載の頭形補正又は空間形成のための補助装置を備えた帽子。
【請求項８】
前記小型電子装置は、ＧＰＳ受信機、超音波変換器、カメラ、レーザポインター、又は頭脳に波動信号を印加する波動信号発生装置の全部又は一部を含むことを特徴とする、請求項１、３のいずれか一つに記載の頭形補正又は空間形成のための補助装置を備えた帽子。
【請求項９】
前記小型電子装置は、使用者の頭部の周りで発生する脳電図、近赤外線、心電図、血圧又は体温などを含む生体信号、又は使用者周辺の温度、湿度、照度又は気圧などを含む環境信号を測定する装置の全部又は一部を含むことを特徴とする、請求項１、３のいずれか一つに記載の頭形補正又は空間形成のための補助装置を備えた帽子。
【請求項１０】
前記第１補助装置は、帽子の内側で使用者の頭部全体を覆えるように形成され、第２補助装置は使用者の頭部一部を覆えるように形成されることを特徴とする、請求項１、２、
３、４のいずれか一つに記載の頭形補正又は空間形成のための補助装置を備えた帽子。
【請求項１１】
前記第２補助装置は、帽子の内側で使用者の両耳上部の左右方向、額と後頭の前後方向又は任意の方向に位置することを特徴とする、請求項１０に記載の頭形補正又は空間形成のための補助装置を備えた帽子。
【請求項１２】
前記第１補助装置は、帽子の内側で使用者の頭部一部を覆えるように形成され、第２補助装置は使用者の頭部全体を覆えるように形成されることを特徴とする、請求項１、２、３、４のいずれか一つに記載の頭形補正又は空間形成のための補助装置を備えた帽子。
【請求項１３】
前記第１補助装置は、帽子の内側で使用者の両耳上部の左右方向、額と後頭の前後方向又は任意の方向に位置することを特徴とする、請求項１２に記載の頭形補正又は空間形成のための補助装置を備えた帽子。
【請求項１４】
前記第１補助装置及び第２補助装置は、帽子の内側で使用者の頭部全体を覆えるように形成されることを特徴とする、請求項１、２、３、４のいずれか一つに記載の頭形補正又は空間形成のための補助装置を備えた帽子。
【請求項１５】
前記第１補助装置又は第２補助装置は、使用者の頭部の一部を覆えるように形成されることを特徴とする、請求項１、２、３、４のいずれか一つに記載の頭形補正又は空間形成のための補助装置を備えた帽子。
【請求項１６】
前記第１補助装置又は第２補助装置は、帽子の内側で使用者の両耳上部の左右方向、額と後頭の前後方向又は任意の方向に相互同一位置に置かれるか、方向が相互外れるように位置することを特徴とする、請求項１５に記載の頭形補正又は空間形成のための補助装置を備えた帽子。
【請求項１７】
前記第１補助装置は、円形、＋字型、Ｘ字型、Ｔ字型、Η字型又はΠ字型で形成されることを特徴とする、請求項１０に記載の頭形補正又は空間形成のための補助装置を備えた帽子。
【請求項１８】
前記第２補助装置は、円形、＋字型、Ｘ字型、Ｔ字型、Η字型又はΠ字型で形成されることを特徴とする、請求項１２に記載の頭形補正又は空間形成のための補助装置を備えた帽子。
【発明の詳細な説明】
【技術分野】
【０００１】
本発明は頭形補正又は空間形成のための補助装置を備えた帽子に関するものである。より詳しくは、使用者の頭部と帽子との間に補助装置と支持フレームを設けて、前記補助装置と支持フレームにより使用者の頭形補正と小型電子装置などが外部に露出されないまま設置できる空間の確保と、前記補助装置、帽子又は支持フレームに受容部を設けて前記小型電子装置などの受容ができることを特徴とする、頭形補正又は空間形成のための補助装置を備えた帽子に関するものである。
【背景技術】
【０００２】
後頭部の所が平たい形態の頭形を有する使用者たちの場合、美容室などで頭頂部分を持ち上げることにより、短所を克服しようとしているが、時間の経過に従って頭頂部分がまた沈む問題があった。また、帽子をかぶった場合にも、後ろ髪の部分が押さえられ、帽子をかぶった頭形が綺麗に形成されないという問題があった。
【０００３】
韓国登録実用新案公報第２０−０４４８０６２号（登録日：２０１０．０３．０５．）は頭形補正用の補正具に関するものであり、平たい頭形を膨らませて表現したり、額をより膨らませて見せることにより帽子の審美感を高めようとすることを特徴とする。しかし、前記の技術による補正具の固定紐１２は帯形態であり、耳上部の両方が押さえられるなどのことで頭形の補正が容易ではないという問題があった。
【０００４】
また、従来には、人間の脳を測定や研究する場合、実験対象者を研究室、実験室又は医療施設などの制限された空間内で一時的に実験したため、日常生活内の自然的活動中に表れる多様な結果を得ることが難しいという面もあった。即ち、従来には、活動が制限された拘束状態で実験対象者に対する生体信号が測定が行われたため、実生活においての生体信号の測定が困難である問題があった。
【０００５】
更に、従来には一部のカツラなどに空間を確保して小型チップの内蔵ができる形態で使用したが、カツラ自体が有する空間上の限界により多様な形態のフラットフォームの具現が容易ではないという面があった。
【先行技術文献】
【特許文献】
【０００６】
【特許文献１】韓国登録実用新案２０−０４４８０６２号
【発明の概要】
【発明が解決しようとする課題】
【０００７】
本発明は、前記従来技術の問題点を解決するため創出したものであり、本発明において、使用者の頭部と帽子との間に補助装置を設け、前記補助装置が使用者の頭頂部分を覆える程度の一定幅を有するか頭部全体を覆える球形態で帽子に固定されることで、補助装置の間又は前記補助装置の上下に形成される空間部によって使用者の頭形が補正されたり、前記空間部に小型電子装置などが外部に露出されないまま設置でき、補助装置、帽子又は支持フレームに受容部を設けて前記小型電子装置などの受容ができることを特徴とする、頭形補正又は空間形成のための補助装置を備えた帽子に関するものである。
【課題を解決するための手段】
【０００８】
前記目的を達成するため本発明のある実施例による帽子は、使用者の頭部に対応する球形態で形成され、端部内側の一部又は全体にわたって帽子粘着部を設けた帽子；前記帽子の端部内側の周りに接して形成され、フレーム粘着部を設けた支持フレーム；及び使用者の頭部に隣接して球形態で形成され、前記帽子粘着部又はフレーム粘着部に結合するため下端部の側面に第１補助粘着部を設けた第１補助装置と、前記帽子の内側に隣接して球形態で形成され前記帽子粘着部、フレーム粘着部又は第１補助粘着部に結合すため下端部の側面に第２補助粘着部を設けた第２補助装置からなる補助装置で構成され、前記帽子の内側に前記支持フレーム及び補助装置が挿入結合された状態で、前記第１補助装置と第２補助装置との間に形成される第１空間部、前記第２補助装置と帽子との間に形成される第２空間部又は前記第１補助装置と使用者の頭部との間に形成される第３空間部によって、使用者の頭形のボリュームアップや小型電子装置が外部に露出されないまま設置できる空間が確保されることを特徴とする。
【０００９】
また、本発明の他の実施例の帽子は、使用者の頭部に対応する球形態で形成され、端部内側に一部又は全体にわたって帽子粘着部を設けた帽子；前記帽子の端部内側の周りに接して形成され、フレーム粘着部を設けた支持フレーム；及び使用者の頭部と帽子内側との間に球形態で形成され前記帽子粘着部又はフレーム粘着部に結合するため下端部の側面に第１補助粘着部を設けた第１補助装置からなり、前記帽子の内側に前記支持フレーム及び第１補助装置が挿入結合した状態で、前記帽子と第１補助装置との間に形成される第４空間部又は前記第１補助装置と使用者の頭部との間に形成される第３空間部によって、使用者の頭形のボリュームアップや小型電子装置が外部に露出されないまま設置できる空間が確保されることを特徴とする。
【００１０】
本発明のまた他の実施例による帽子は、使用者の頭部に対応する球形態で形成され、端部内側の一部又は全体にわたって帽子粘着部を設けた帽子；及び使用者の頭部に隣接して球形態で形成され前記帽子粘着部に結合するため下端部の側面に第１補助粘着部を設けた第１補助装置と、前記帽子の内側に隣接して球形態で形成され前記帽子粘着部又は第１補助粘着部に結合するため下端部の側面に第２補助粘着部を設けた第２補助装置からなる補助装置により構成され、前記帽子の内側に前記補助装置が挿入結合した状態で、前記第１補助装置と第２補助装置との間に形成される第１空間部、前記第２補助装置と帽子との間に形成される第２空間部又は前記第１補助装置と使用者の頭部との間に形成される第３空間部によって使用者の頭形のボリュームアップと小型電子装置が外部に露出されないまま設置できる空間が確保されることを特徴とする。
【００１１】
本発明の更に他の実施例による帽子は、使用者の頭部に対応する球形態で形成され、端部内側の一部又は全体にわたって帽子粘着部を設けた帽子；及び使用者の頭部と帽子内側との間に球形態で形成され前記帽子粘着部に結合するため下端部の側面に第１補助粘着部を設けた第１補助装置からなり、前記帽子の内側に前記第１補助装置が挿入結合した状態で、前記帽子と第１補助装置との間に形成される第４空間部又は前記第１補助装置と使用者の頭部との間に形成される第３空間部によって使用者の頭形のボリュームアップと小型電子装置が外部に露出されないまま設置できる空間が確保されることを特徴とする。
【００１２】
本発明の支持フレーム、帽子、第１補助装置又は第２補助装置には、小型電子装置が受容できる受容部が更に設けられることを特徴とする。
【００１３】
本発明の第１補助装置と第２補助装置は第１補助粘着部に結合する第２補助粘着部の位置を上下調節して、前記第１空間部又は第２空間部の高さを調節することができ、前記第１補助装置又は第２補助装置は通風のための通気孔が複数形成されることを特徴とする。
【００１４】
また、本発明の小型電子装置は、スマートフォン又はスマートグラスなどの装置と無線で通信可能なチップ又は回路基板を有する装置、前記スマートフォン又はスマートグラスによってｅメール又は文字メッセージが受信される場合、使用者に振動で知らせる振動発生装置、又は文字を音声に変換して耳で聞けるようにする骨伝導振動発生装置を含むことができ、ＧＰＳ受信機、超音波変換器、カメラ、レーザポインター、又は頭脳に波動信号を印加する波動信号発生装置を含むことと、使用者の頭部の周りで発生する脳電図、近赤外線、心電図、血圧又は体温などの生体信号、又は使用者周辺の温度、湿度、照度又は気圧などの環境信号を測定する装置が含まれることを特徴とする。
【００１５】
本発明の第１補助装置又は第２補助装置は、帽子の内側で使用者の頭部の全体又は頭部の一部を覆えるように形成され、前記第１補助装置と第２補助装置が使用者の頭部の一部を覆えるように形成される場合、帽子の内側で使用者の両耳上部の左右方向、額と後頭の前後方向又は任意の方向に互いに同一位置に置かれることもできるし、方向が互いに外れる位置に置かれることも可能であり、第１補助装置又は第２補助装置に一方だけが使用者の頭部の一部を覆えるように形成される場合、使用者の頭部の一部を覆うように形成される第１補助装置又は第２補助装置は帽子の内側で使用者の両耳上部の左右方向、額と後頭の前後方向又は任意の方向に位置することができ、前記第１補助装置と第２補助装置は全て使用者の頭部全体を覆えるように形成されることを特徴とする。  
【発明の効果】
【００１６】
本発明において、使用者の頭部と帽子との間に設けた補助装置によって空間部が形成され、前記空間部によって使用者の頭形補正が容易になされる。
【００１７】
また本発明において、補助装置が使用者の頭部全体を覆うか頭頂部分を覆える程度の一定幅を持つ状態で帽子に固定されるため、使用者の頭頂部分を含む全体頭形が補正される長所がある。
【００１８】
また、本発明において、使用者の頭部と帽子との間に設けた補助装置によって形成される空間部内部又は前記帽子、補助装置又は支持フレームに形成される受容部に、使用者の脳波を測定したり現代人の精神疾患又は頭脳の性向を操るニューロバイオフィードバック装置などの脳工学関連の小型電子装置、又は体温、血圧などのチェックが可能なセンサー、又はスマートフォンを含む通信装置と無線で通信できる装置などを小型化して内蔵することができる。
【図面の簡単な説明】
【００１９】
【図１】図１（ａ）、（ｂ）は本発明において補助装置のある実施例であり、使用者の頭部の一部を覆える第１補助装置と第２補助装置がお互い同一方向に結合した様子と受容部を備えた様子を示す図面である。
【図２】図２（ａ）、（ｂ）は、本発明において補助装置の他の実施例であり、使用者の頭部の一部を覆える第１補助装置と前記第１補助装置に受容部を設けた様子を示す図面である。
【図３】図３（ａ）、（ｂ）は、図１と図２の実施例による補助装置と支持フレームが相互結合した様子を示す図面である。
【図４】図４（ａ）、（ｂ）は、本発明において、図３の実施例による補助装置と支持フレームが帽子の内部に形成された様子を示す図面である。
【図５】図５（ａ）、（ｂ）は、本発明において、図１の実施例による第１補助装置と第２補助装置が相互結合された状態で帽子の内部に結合した様子と、図２と実施例による第１補助装置が帽子の内部に結合した様子を示す図面である。
【図６】図６は、本発明において、第１補助装置が帽子の内部に結合した状態で小型電子装置が空間部に設けられた様子を実施例を示す図面である。
【発明を実施するための形態】
【００２０】
以下、添付した図面を参照して本発明の好ましい実施例をより詳しく説明する。
【００２１】
本発明において説明する「小型電子装置」は、使用者の頭部の周りで発生する脳電図、近赤外線、心電図、血圧又は体温などを含む生体信号と使用者の周辺の温度、湿度、照度又は気圧などの環境信号を測定するため、使用者が着用する帽子、支持フレーム、補助装置、空間部又は前記帽子、支持フレーム、補助装置又は空間部に設けた受容部に挿入される測定装置を意味するものであり、使用者の生体信号を測定するためのセンサーが使用者の頭部に付着されたり、使用者周辺の環境信号を測定するためのセンサーが帽子によって露出されないまま設けられた状態で、前記センサーが前記電子装置と有無線で繋がって生体信号と環境信号を送受信できるものを通称する。
【００２２】
また、本発明の小型電子装置は、スマートフォン又はスマートグラスなどの装置と無線で通信可能なチップ又は回路基板を有する装置が含まれ、前記スマートフォン又はスマートグラスと通じてｅメール又は文字メッセージが受信される場合、使用者に振動で知らせる振動発生装置を含むことができ、文字を音声に変換して耳で聞けるようにする骨伝導振動発生装置が含まれ得る。
【００２３】
また、本発明に備えられる小型電子装置として、ＧＰＳ受信機、超音波変換器、カメラ又はレーザポインターなどがあり、頭脳に波動信号を印加する波動信号発生装置を含むことができる。
【００２４】
本発明の帽子は、後ろ髪の上部である頭頂部分をボリュームアップして後頭部の補正が可能である機能を含み、更に、段々発展する脳工学に用いられる小型電子装置、例えば、使用者の脳波を測定して脳機能の異常有無を測定したり、精神疾患などを研究するための機能を有する小型電子装置を設置できる空間を確保する機能を含ませるために用いられることを特徴とする。
【００２５】
図４と図５に示す本発明の帽子は前方にツバが形成されることを示しているが、帽子の形態は自由に構成できる。前記図４と図５は、使用者の頭部の一部を覆える第１補助装置２１０と第２補助装置２２０が帽子の内側で互いに同一方向に結合した様子を示している。即ち、前記図４と図５は、第１補助装置と第２補助装置が使用者の両耳上部の左右方向にお互い同一位置に置かれる実施例を示す。しかし、前記第１補助装置と第２補助装置は額と後頭の前後方向又は任意の方向にお互い同一位置に置かれたり、方向が互いに外れるように位置することもできる。
【００２６】
また、図面には図示しなかったが、本発明の第１補助装置２１０は帽子の内側で使用者の頭部全体を覆えるように形成されることができ、第２補助装置２２０は使用者の頭部一部を覆えるように形成されることができる。一方、第１補助装置は帽子の内側で使用者の頭部一部を覆えるように形成され、第２補助装置が使用者の頭部全体を覆えるように形成されることもできる。また、第１補助装置と第２補助装置は使用者の頭部全体を覆えるように形成されることができる。
【００２７】
第１補助装置が帽子の内側で使用者の頭部全体を覆えるように形成され、第２補助装置は使用者の頭部一部を覆えるように形成される実施例の場合、前記第２補助装置は帽子の内側で使用者の両耳上部の左右方向、額と後頭の前後方向又は任意の方向に位置することができる。反対に、第１補助装置は帽子の内側で使用者の頭部一部を覆えるように形成される一方、第２補助装置が使用者の頭部全体を覆えるように形成される実施例の場合、前記第１補助装置が帽子の内側で使用者の両耳上部の左右方向、額と後頭の前後方向又は任意の方向に位置することができる。
【００２８】
第１補助装置及び／又は第２補助装置が使用者の頭部全体を覆えるように形成される場合、第１補助粘着部２１１及び／又は第２補助粘着部２２１は各々第１補助装置及び／又は第２補助装置の下端部の側面の全体にわたって形成されることも、下端部の一側面に一部形成されることもできる。
【００２９】
第１補助装置又は第２補助装置が使用者の頭部全体を覆えるように形成される場合、前記第１補助装置又は第２補助装置は円形、＋字型、Ｘ字型、Ｔ字型、Η字型又はΠ字型などの多様な形で形成できる。＋字型を例としたら、第１補助装置が使用者の頭部全体を覆えるようにして、帯形態で設けられる事により空間を形成する。この際にも、使用者の頭部を支持した状態が空間確保が行われ、帯形態の上部面又は下部面に小型電子装置の搭載が可能である。
【００３０】
本発明の第１補助装置又は第２補助装置が使用者の頭部の一部を覆う場合、その幅は自由に形成できるが、好ましくは２〜１０ｃｍの範囲で形成され、使用者が帽子を着用した状態で外部に露出しないようにする。第１補助装置と第２補助装置が全て使用者の頭部の一部を覆えるように形成される場合、前記第１補助装置と第２補助装置は帽子の内側で使用者の両耳上部の左右方向、額と後頭の前後方向又は任意の方向に相互同一位置に置かれることも、又は方向が相互外れるように位置することもできる。
【００３１】
帽子内側に第２補助装置が省略されたまま第１補助装置だけを設けた状態において、前記第１補助装置が使用者の頭部全体又は一部を覆うように設けられることができるが、前記第１補助装置が使用者の頭部の一部を覆うように設けられた場合前記第１補助装置は使用者の両耳上部の左右方向、額と後頭の前後方向又は任意の方向に位置することができる。
【００３２】
図１は、本発明の補助装置のある実施例であり、使用者の頭部の一部を覆える第１補助装置と第２補助装置が互いに同一方向に結合した様子と受容部が設けられた様子を示す図面である。図１（ａ）は第１補助装置２１０と第２補助装置２２０が互いに同一方向に結合できることを示し、図１（ｂ）は受容部４００が更に設けられることを示す。前記第１補助装置と第２補助装置は使用者の頭部に隣接して形成されるため球形態で形成される。
【００３３】
前記第１補助装置と第２補助装置が帽子１００と結合して空間部５００が形成され、前記空間部が使用者の頭形を補正するとともに小型電子装置が外部に露出されないまま設置できる。即ち、脳波の測定が可能な装置、体温又は血圧などのチェックができるセンサー及び／又は通信機能を含むウェアラブル装置などが小型化して前記空間部に内蔵できる。図１の受容部４００は、小型電子装置が内蔵できる空間を実施例として示し、前記受容部の大きさと形は小型電子装置の構造、大きさ又は用途などによって様々な変形ができ、前記小型電子装置は受容部の構成がなくても前記第１補助装置の上下部又は第２補助装置の上下部を介して形成される空間内に位置することもできる。また、前記受容部は、第１補助装置の上部面又は下部面と接して形成されるか、又は第２補助装置の上部面又は下部面に接して形成でき、帽子の下部面にも形成できる。
【００３４】
図１には、第１補助装置２１０と第２補助装置２２０との間に形成される第１空間部５１０を示し、前記第１空間部が使用者の頭部の上部に形成されながら平たい形態の頭頂部分が補正され、また前記第１空間部の内部に小型電子装置の設置が可能になる。
【００３５】
第１補助装置と第２補助装置との間の結合は様々な形で行うことができるが、本発明では第１補助装置の下端部の側面に第１補助粘着部２１１を形成し、第２補助装置の下端部の側面に第２補助粘着部２２１を形成し、前記第１補助装置２１０の上部に第２補助装置２２０が位置した状態で、前記第２補助粘着部が第１補助粘着部２１１に結合する。粘着部の例は多様であるが、雌雄形態を持つベルクロテープを用いることができ、前記第１補助粘着部と第２補助粘着部は下端部の外側面又は内側面の両方又は一方に形成することができる。
【００３６】
第１補助装置及び／又は第２補助装置は、帽子の端部内側に形成される帽子粘着部１１０と粘着できるようにし、後述の支持フレーム６００を備えた実施例の場合、前記支持フレームに形成されるフレーム粘着部６１０も前記帽子粘着部に粘着できるようにする。即ち、本発明において、第１補助装置、第２補助装置、フレーム粘着部及び／又は帽子粘着部が選択的に相互結合することで帽子の内側で安定な空間を形成することができ、これによって頭形補正も同時に行われる。前記帽子粘着部もベルクロテープの利用ができ、雌雄形態が相互対応して形成され相互間の結合が容易にできるようにする。
【００３７】
本発明において、第１補助装置と結合する第２補助装置に設けられた第２補助粘着部が第１補助装置の第１粘着部と結合する高さを調節して第１空間部５１０の高さを調節することができる。即ち、第２補助粘着部を第１補助粘着部の上部の方に接合させる場合は第１空間部の高さが高くなり、一方第２補助粘着部を第１補助粘着部の下部の方に接合させる場合は第１空間部の高さは低くなる。これによって頭形補正の高さを調節し、ボリュームアップの高さを調節できるようになり、搭載される小型電子装置の大きさに柔軟な対処ができる。
【００３８】
図２は本発明に適用される補助装置２００の他の実施例であり、使用者の頭部の一部を覆える補助装置を示し、図２（ａ）は第１補助装置２１０を示し、図２（ｂ）は前記第１補助装置に受容部４００が更に設けられた様子を示す。即ち、図２の実施例は第２補助装置２２０がなく第１補助装置だけでボリュームアップ及び空間形成が可能であることを示す。前記第１補助装置の下端部の側面に設けられた第１補助粘着部２１１が帽子の端部内側に形成された帽子粘着部１１０に結合し空間部が形成される。図２は前記帽子粘着部が帽子の両側面内側に形成されることにしたが、前記帽子粘着部は第１補助粘着部及び／又は第２補助粘着部と相互結合できる程度の幅を持つ状態で帽子の内側の端部全体にわたって形成できる。
【００３９】
図３は、図１と図２の実施例による補助装置２００と支持フレーム６００が相互結合した様子を示す図面であり、図３（ａ）は図１（ｂ）の補助装置が支持フレームと結合した様子を示し、図３（ｂ）は図２（ｂ）の第１補助装置が支持フレームと結合した様子を示す。本発明の支持フレームは帽子と補助装置とをより強く結合するための手段として使用し、一定幅を持つ状態で帽子の端部内側の周りに接して形成され得る。
【００４０】
前記図３を参照すれば、帽子と補助装置との結合のため支持フレームの外側面にフレーム粘着部６１０が形成され、前記フレーム粘着部に第１補助装置２１０の第１補助粘着部２１１及び／又は第２補助装置２２０の第２補助粘着部２２１が相互結合し、帽子にも結合する。支持フレームの外側面に形成されるフレーム粘着部は端部の一定位置に形成されることも可能であるが、必要に応じて外側面の全体の周りにわたって形成され得る。
【００４１】
前述において、第１補助粘着部及び／又は第２補助粘着部が支持フレームの外側面に粘着されるものを示したが、支持フレームの内側面にもフレーム粘着部が形成される場合前記第１補助粘着部及び／又は第２補助粘着部は支持フレームの内側面に結合できる。この場合、前記支持フレームが使用者の頭部に接するので、フレーム粘着部が内側面の全体の周りに形成される場合使用者に不快感を起こすため、第１補助粘着部及び／又は第２補助粘着部が結合される一部部分だけにフレーム粘着部が形成され得る。
【００４２】
帽子の端部内側には前記フレーム粘着部との結合のため帽子粘着部１１０が更に設けられ、前記帽子粘着部１１０は端部の一部又は全体にわたって選択的に形成され得る。また前記支持フレームには小型電子装置が受容できる受容部４００が一定位置に設けられ得るし、使用者の頭部と直接接触しない外側又は内側にも設けられ得る。
【００４３】
図４は本発明において、図３の実施例による補助装置と支持フレームが帽子の内部に形成された様子を示す図面であり、図４（ａ）は第１補助装置、第２補助装置及び支持フレームが帽子に結合した様子であり、点線内部の図面はａ−ａ’線による断面をＡ方向から見た様子を示し、図４（ｂ）は第１補助装置と支持フレームが帽子に結合した様子を示し点線内部の図面はｂ−ｂ’線による断面をＢ方向から見た様子を示す。前記図４（ａ）及び図４（ｂ）の点線の内部図面の中で第１補助装置の下に図示した点線は使用者の頭部である。図４と図５は説明の便宜のため、帽子は外部境界部分を線で表示し、内部の補助装置及び／又は支持フレームが表れるように表示した。
【００４４】
図４（ａ）を参照すれば、第１補助装置２１０、第２補助装置２２０及び支持フレーム６００が帽子１００の内側に挿入された状態で、前記帽子の端部内側に形成された帽子粘着部１１０、支持フレームに設けられたフレーム粘着部、第１補助装置に設けられた第１補助粘着部及び／又は第２補助装置に設けられた第２補助粘着部が互いに結合する。
【００４５】
図４（ａ）の実施例において、第１補助装置２１０と第２補助装置２２０との間に形成される第１空間部５１０、前記第２補助装置と帽子の上部との間に形成される第２空間部５２０及び前記第１補助装置と使用者の頭部との間に形成される第３空間部５３０によって使用者の頭形のボリュームアップと小型電子装置が外部に露出されないまま設置できる空間が確保できる。本発明において、前記第１補助装置及び第２補助装置の上部面及び下部面に接して受容部が形成され得るし、支持フレームの外側面に受容部が形成され得る。また、帽子の内側面に受容部が形成され得るし、ツバの下部面に受容部が形成され得る。前記受容部に小型電子装置を挿入され設けることができる。
【００４６】
図４（ｂ）を参照すれば、第１補助装置２１０と支持フレーム６００が帽子１００の内側に挿入した状態で、前記帽子の端部内側に形成された帽子粘着部１１０、支持フレームに設けられたフレーム粘着部及び第１補助装置の第１補助粘着部が互いに結合する。
【００４７】
図４（ｂ）の実施例において、前記第１補助装置と使用者の頭部との間に形成される第３空間部５３０と前記第１補助装置と帽子上部との間に形成される第４空間部５４０によって使用者の頭形のボリュームアップと小型電子装置が外部に露出されないまま設置できる空間が確保され得る。本発明において、前記第１補助装置の上部面及び下部面に接して受容部が形成されたり、支持フレームの外側面に受容部が形成される。また、帽子の内側面に受容部が形成されたり、ツバの下部面に受容部が形成され得る。前記受容部に小型電子装置を挿入して設けることができる。
【００４８】
図５は本発明において、第１補助装置及び／又は第２補助装置が帽子の内部に結合した様子示す図面であり、図５（ａ）は図１の実施例による第１補助装置２１０と第２補助装置２２０が帽子１００の内部で結合した様子を示し、図５（ｂ）は図２の実施例による第１補助装置２１０が帽子１００の内部で結合した様子をそれぞれ示している。即ち、図５は図４の実施例と他の構成は同一であり、支持フレームだけ省略された形態を示している。したがって、帽子の端部内側に形成される帽子粘着部１１０と第１補助装置に形成された第１補助粘着部２１１及び／又は第２補助粘着部２２１が相互結合することで頭形のボリュームアップと空間形成が行われる。
【００４９】
図５（ａ）の実施例において、第１補助装置２１０と第２補助装置２２０との間に形成される第１空間部５１０、前記第２補助装置と帽子上部との間に形成される第２空間部５２０及び前記第１補助装置と使用者の頭部との間に形成される第３空間部５３０によって、使用者の頭形のボリュームアップと小型電子装置が外部に露出されないまま設置できる空間が確保され得る。前記第１補助装置及び第２補助装置の上部面及び下部面に接して受容部が形成され得るし、支持フレームの外側面に受容部が形成され得る。また帽子の内側面に受容部が形成され得るし、ツバの下部面に受容部が形成され得る。前記受容部に小型電子装置を挿入して設けることができる。
【００５０】
図５（ｂ）の実施例において、前記第１補助装置と使用者の頭部との間に形成される第３空間部５３０と前記第１補助装置と帽子上部との間に形成される第４空間部５４０によって使用者の頭形のボリュームアップと小型電子装置が外部に露出されないまま設置できる空間が確保され得る。本発明において、前記第１補助装置の上部面及び下部面に接して受容部が形成され得るし、支持フレームの外側面に受容部が形成され得る。また、帽子の内側面に受容部が形成され得るし、ツバの下部面に受容部の形成ができる。帽子のツバの上部面にも受容部の形成が可能であるが、美観を考慮し下部面に形成することが好ましい。前記受容部に小型電子装置を挿入して設けることができる。
【００５１】
本発明において第１補助装置、第２補助装置又は支持フレームは使用者の頭形をボリュームアップさせたり空間形成が可能であるよう、一定強度を持つ状態で形像維持が可能がプラスチックなどの合成樹脂が材料として利用できる。
【００５２】
図６は本発明によって、第１補助装置が帽子の内部に結合した状態で小型電子装置が空間部に設けられた様子を実施例として示す図面であり、第１補助装置と帽子との間の空間部に使用者の頭脳の波動信号を印加する波動発生装置が設けられた様子を示す。
【００５３】
図面には図示しなかったが、本発明において、支持フレームと補助装置を省略した状態で、帽子の内側面又は外側面、又は帽子のツバの下部面又は上部面に受容部を形成した後、前記受容部に小型電子装置を設けることができる。このとき帽子は頭形補正ということより小型電子装置による脳工学関連の測定用道具、又はスマートフォンなどと通信する無線装置、振動発生装置又はレーザポインターなどを受容するための道具として用いられる。
【００５４】
本発明において、第１補助装置、第２補助装置及び支持フレームは使用者の頭形をボリュームアップさせたり、空間形成が可能であるように一定の強度を持つ状態で形状維持が可能がプラスチックなどの合成樹脂が材料として利用できる。図１と２を参照すれば、本発明の補助装置には複数の通気孔３００が形成されている。前記通気孔を通して外部空気が使用者の頭部につながり、頭部から出る熱や汗などの排出が円滑に行われる。
【００５５】
本発明において、使用者の頭部と帽子との間に設けた補助装置によって空間部が形成され、前記空間部によって使用者の頭形補正が容易に行われ、補助装置が使用者の頭頂部分を覆える程度の一定幅を持つ状態で帽子に固定するため、使用者の頭頂部分を含む全体頭形が補正されるという長所がある。更に、使用者の頭部と帽子との間に設けた補助装置によって形成される空間部内部又は前記帽子、補助装置又は支持フレームに形成される受容部に使用者の脳波測定や現代人の精神疾患又は頭脳の性向を操るニューロバイオフィードバック装置などの脳工学関連の小型電子装置又は体温・血圧などのチェックが可能であるセンサー及び／又は通信機器などが小型化されて内蔵できる。
【００５６】
以上において、本発明の好ましい実施例を説明したが、本発明の権利範囲はこれらに限らず、本発明の実施例と実質的な均等範囲のものまで本発明の権利範囲が及ぶことと理解すべきであり、本発明の思想を超えない範囲において当該発明に属する技術分野で通常の知識を有する者により多様な変形実施が可能である。  
【符号の説明】
【００５７】
１００：帽子
１１０：帽子粘着部
２００：補助装置
２１０：第１補助装置
２１１：第１補助粘着部
２２０：第２補助装置
２２１：第２補助粘着部
３００：通気孔
４００：受容部
５００：空間部
５１０：第１空間部
５２０：第２空間部
５３０：第３空間部
５４０：第４空間部
６００：支持フレーム
６１０：フレーム粘着部
【図１】
0006553634.tif 000002
【図２】
0006553634.tif 000003
【図３】
0006553634.tif 000004
【図４】
0006553634.tif 000005
【図５】
0006553634.tif 000006
【図６】
0006553634.tif 000007